(57)【特許請求の範囲】
【請求項１】
画像の色変換を行う色変換手段を有すると共に当該色変換手段により色変換された画像を出力する情報処理装置と、
前記情報処理装置から出力された画像を表示する画像表示装置と、
前記画像表示装置の表示特性を検証するための検証画像を取得し当該表示装置に表示させる表示制御手段を有し、前記情報処理装置と前記画像表示装置との間に接続されるカラー画像処理装置と、
を有するカラー画像処理システムであって、
前記表示制御手段は、前記検証画像を前記情報処理装置から取得する第一の検証画像取得手段と、前記色変換手段により色変換されていない前記検証画像を、前記情報処理装置を経由することなく取得する第二の検証画像取得手段と、を有すると共に、当該第一の検証画像取得手段および前記第二の検証画像取得手段で取得された両方の前記検証画像を前記画像表示装置に表示させるものであり、前記カラー画像処理装置は、当該両方の検証画像に差がない場合には、前記色変換手段が機能していない状態のまま、前記表示特性に基づく色補正を行う一方、当該両方の検証画像に差がある場合には、当該色変換手段が機能している状態から機能していない状態に切り替わった後、前記色補正を行うこと
を特徴とするカラー画像処理システム。
【請求項２】
画像の色変換を行う色変換手段を有すると共に当該色変換手段により色変換された画像を出力する情報処理装置と、前記情報処理装置から出力された画像を表示する画像表示装置と、の間に接続されるカラー画像処理装置であって、
前記画像表示装置の表示特性を検証するための検証画像を前記情報処理装置から取得する第一の検証画像取得手段と、前記色変換手段により色変換されていない前記検証画像を前記情報処理装置を経由することなく取得する第二の検証画像取得手段と、を有すると共に、当該第一の検証画像取得手段および前記第二の検証画像取得手段で取得された両方の前記検証画像を前記画像表示装置に表示させる表示制御手段を有し、
且つ、当該両方の検証画像に差がない場合には、前記色変換手段が機能していない状態のまま、前記表示特性に基づく色補正を行う一方、当該両方の検証画像に差がある場合には、当該色変換手段が機能している状態から機能していない状態に切り替わった後、前記表示特性に基づく色補正を行うこと
を特徴とするカラー画像処理装置。
【請求項３】
画像の色変換を行う色変換手段を有すると共に当該色変換手段を機能させるか又は機能させないかの切替が可能に構成された情報処理装置が、当該色変換手段が機能している場合は当該色変換手段により色変換された画像を出力する一方で当該色変換手段が機能していない場合は当該色変換手段により色変換されていない画像を出力するステップと、
前記情報処理装置と当該情報処理装置から出力された画像を表示する画像表示装置との間に接続されるカラー画像処理装置が有する表示制御手段が、前記画像表示装置の表示特性を検証するための検証画像を、前記情報処理装置から取得するステップと、
前記表示制御手段が、前記色変換手段により色変換されていない前記検証画像を、前記情報処理装置を経由することなく取得するステップと、
前記表示制御手段が、両方の検証画像を前記画像表示装置に表示させるステップと、
前記カラー画像処理装置が、当該両方の検証画像に差がない場合には、当該色変換手段が機能していない状態のまま、前記表示特性に基づく色補正を行う一方、当該両方の検証画像に差がある場合には、前記両方の検証画像に差がある場合に、前記カラー画像処理装置が、当該色変換手段が機能している状態から機能していない状態に切り替わった後、前記表示特性に基づく色補正を行うステップと、
を実行する方法。
【発明の詳細な説明】
【技術分野】
【０００１】
本発明は、カラー画像処理システム、カラー画像処理装置およびカラー画像処理プログラムに関するものである。
【背景技術】
【０００２】
カラー画像を画像表示装置に表示させる場合、同一のカラー画像であっても装置の表示特性によって表示される色が異なる場合がある。
【０００３】
また、画像表示装置は、経時劣化によって、工場出荷時に比べて表示画質が劣化する場合がある。
【０００４】
そこで、画像表示装置の特性や経時劣化に起因する画質劣化を抑制するために、画質測定用画像を装置に表示させ、その測定結果に基づき画質劣化を補正する各種装置、方法の提案がなされている。
【０００５】
例えば特許文献１では、画像表示装置の経時劣化による画質劣化を画面劣化情報に基づいて補正して表示画像の画質を向上させる方法が開示されている。
【０００６】
この方法は、測定モード時に、測定用画像を画像表示装置に表示させてその表示画像から特徴量を検出し、その検出特徴量から購入直後の時点を基準とした変化量を求めるための、稼働累積時間をパラメータとして持つ算出式を生成し、通常モード時に、その算出式から求まる現在の変化量（画質劣化情報）に基づき入力画像を処理して、画像表示装置の画質劣化を補正するものである。
【０００７】
また、例えば特許文献２では、テレビジョンの映像出力特性の調整を行うための検査用映像をテレビジョンが内蔵するＤＶＤドライブに記憶させ、そのＤＶＤドライブから出力させた検査用映像にかかるコンポーネント信号に基づいてディスプレイに検査用映像を表示させ、この検査用映像の測色データに基づいて入力コンポーネント信号に対する補正値を設定してテレビジョンの映像出力特性を調整するテレビジョンが開示されている。
【０００８】
また、情報処理装置と接続して利用される画像表示装置の表示特性を補正する技術として、ＩＣＣ（インターナショナル・カラー・コンソーシアム ）プロファイルを作成して情報処理装置に設定することで画像表示装置のカラー画像の表示特性を補正する方法がある。
【０００９】
しかし、この方法の場合、ＩＣＣプロファイルを情報処理装置のＯＳ（オペレーティング・システム）の色補正処理に設定したとしても、利用するアプリケーション・ソフトがその色補正処理を使用していない場合は、そのＩＣＣプロファイルによる色補正は適用されない。
【００１０】
また、アプリケーション・ソフトがＩＣＣプロファイルによる色補正処理を実施していても、そのＩＣＣプロファイルの一部の補正係数のみを使用している場合は、画像表示装置の表示特性が十分に補正されない場合もある。
【００１１】
また、情報処理装置に内蔵されたビデオカードによっては、独自の色補正を行うものもあり、アプリケーション・ソフトやＯＳの設定状態によっては、ＩＣＣプロファイルによる色補正と、ビデオカードによる色補正の二重の色補正が行われる場合がある。
【００１２】
更に、ＩＣＣプロファイルの適用は、ＯＳの種類によっても異なるため、ＯＳやアプリケーション・ソフトの全ての組み合わせに対するＩＣＣプロファイルの適用を検証することは困難がある。
【先行技術文献】
【特許文献】
【００１３】
【特許文献１】特開２００３−２９５８４９号公報
【特許文献２】特開２００８−２９４６２８号公報
【発明の概要】
【発明が解決しようとする課題】
【００１４】
本発明は、情報処理装置の出力画像を表示させる画像表示装置の表示特性に基づきその出力画像を色補正して表示画像の画質を向上させるカラー画像処理システム、カラー画像処理装置およびカラー画像処理プログラムを提供することを目的とする。
【課題を解決するための手段】
【００１５】
上記目的を達成するために、請求項１記載のカラー画像処理システムの発明は、情報処理装置と前記情報処理装置の出力画像を表示する画像表示装置との間に接続され、前記画像表示装置の表示特性に基づき前記出力画像の色補正を行うカラー画像処理装置と、前記情報処理装置とネットワークを介して接続され、前記情報処理装置に接続された前記画像表示装置を管理する表示装置管理サーバと、前記画像表示装置の表示特性を検証する検証装置とを具備し、前記表示装置管理サーバおよび前記情報処理装置の何れかに前記画像表示装置の表示特性を検証するための検証画像を記憶する検証画像記憶手段を具備し、前記カラー画像処理装置は、前記検証画像記憶手段で記憶された検証画像を前記情報処理装置の出力画像として取得する検証画像取得手段と、前記検証画像取得手段で取得された検証画像を前記画像表示装置に表示させる表示制御手段と  を具備し、前記検証装置は、前記表示制御手段で表示させた検証画像の表示結果に基づき前記画像表示装置の表示特性を検証する検証手段を具備することを特徴とする。
【００１６】
また、請求項２記載の発明は、上記請求項１記載の発明において、前記カラー画像処理装置は、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を用いて前記情報処理装置の出力画像を色補正する色補正手段とを更に具備することを特徴とする。
【００１７】
また、請求項３記載の発明は、上記請求項１記載の発明において、前記表示装置管理サーバは、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を前記カラー画像処理装置に送信する色補正係数情報送信手段とを更に具備し、前記カラー画像処理装置は、前記色補正係数情報送信手段で送信された色補正係数情報を用いて前記情報処理装置の出力画像を色補正する色補正手段を更に具備することを特徴とする。
【００１８】
また、請求項４記載の発明は、上記請求項２または３記載の発明において、前記情報処理装置は、前記出力画像の出力に先立って、該出力画像の色変換処理を行う色変換手段を更に具備し、前記検証画像取得手段は、前記検証画像を前記色変換手段で色変換処理させて前記情報処理装置の出力画像として取得する第一の検証画像取得手段と、前記検証画像を前記色変換手段で色変換処理させないで前記情報処理装置の出力画像として取得する第二の検証画像取得手段とを更に具備し、前記表示制御手段は、前記第一の検証画像取得手段または前記第二の検証画像取得手段で取得された検証画像を前記画像表示装置に表示させることを特徴とする。
【００１９】
また、請求項５記載の発明は、上記請求項４記載の発明において、前記表示制御手段は、前記第一の検証画像取得手段および前記第二の検証画像取得手段で取得された両方の前記検証画像を前記画像表示装置に表示させ、前記検証手段は、前記画像表示装置に表示された前記両方の検証画像に基づき前記画像表示装置の表示特性を検証することを特徴とする。
【００２０】
また、請求項６記載の発明は、上記請求項４記載の発明において、前記検証手段は、前記表示制御手段で表示された前記検証画像の測色結果に基づき前記画像表示装置の表示特性を検証することを特徴とする。
【００２１】
また、請求項７記載の発明は、上記請求項４記載の発明において、前記検証画像記憶手段は、前記画像表示装置の表示特性を検証するための検証項目に対応した検証画像を記憶し、前記検証画像取得手段は、前記検証項目に応じて前記検証画像記憶手段で記憶された該検証項目に対応した検証画像を取得し、前記検証手段は、前記検証項目に対応して前記画像表示装置に表示された検証画像の検証結果から該画像表示手段の表示特性を検証することを特徴とする。
【００２２】
また、請求項８記載の発明は、上記請求項７記載の発明において、前記検証手段は、前記画像表示装置の色再現域を検証する検証項目に対応して前記画像表示装置に表示された検証画像の検証結果から該画像表示装置の色再現域の表示特性を検証し、前記色補正係数作成手段は、前記検証手段で検証された前記画像表示装置の色再現域の表示特性と標準色再現領域とを比較して、該画像表示装置で再現困難な色を判別する判別手段を更に具備し、前記判別手段で判別された前記再現困難な色が警告を表す所定の色に変換されて表示されるように前記色補正係数情報を作成することを特徴とする。
【００２３】
また、請求項９記載の発明は、上記請求項８記載の発明において、前記色補正係数作成手段は、前記情報処理装置と接続される印刷装置の色域外の情報を取得する取得手段を更に具備し、前記判別手段は、前記取得手段で取得された前記印刷装置の色域外の情報と前記検証手段で検証された前記画像表示装置の色再現域または標準的な画像表示装置の色再現域の表示特性とを比較して、該印刷装置の色域外に対応する該画像表示装置の色再現域または標準的な画像表示装置の色再現域を該画像表示装置で再現困難な色と判別することを特徴とする。
【００２４】
また、請求項１０記載の発明は、上記請求項２または３記載の発明において、前記表示装置管理サーバは、前記画像表示装置の識別情報と、該画像表示装置の表示特性に基づき前記色補正係数作成手段で作成された色補正係数情報および該色補正係数情報の作成日とを対応付けて記憶する色補正係数情報記憶手段と、前記色補正係数情報記憶手段で記憶された色補正係数情報の作成日に基づき該色補正係数情報が有効期限を超過している画像表示装置を特定する特定手段と、前記特定手段で特定された画像表示装置に接続された前記カラー画像処理装置に対して前記色補正係数情報が有効期限を超過している旨を示す警告情報を該カラー画像処理装置に送信する警告情報送信手段とを更に具備し、前記カラー画像処理装置は、前記警告情報送信手段で送信された前記警告情報を自装置に接続された情報処理装置の出力画像に合成して自装置に接続された前記画像表示装置に出力する警告情報表示手段を更に具備することを特徴とする。
【００２５】
また、請求項１１記載のカラー画像処理システムの発明は、情報処理装置と前記情報処理装置の出力画像を表示する画像表示装置との間に接続され、前記画像表示装置の表示特性に基づき前記出力画像の色補正を行うカラー画像処理装置と、前記情報処理装置とネットワークを介して接続され、前記情報処理装置に接続された前記画像表示装置を管理する表示装置管理サーバと、前記画像表示装置の表示特性を検証する検証装置とを具備し、前記表示装置管理サーバは、前記画像表示装置の表示特性を検証するための検証画像を記憶する検証画像記憶手段と、前記検証画像記憶手段で記憶された検証画像を前記カラー画像処理装置に送信して該検証画像の表示を指示する検証画像表示指示手段とを具備し、前記カラー画像処理装置は、前記検証画像表示指示手段で前記検証画像の表示の指示とともに送信された前記検証画像を前記画像表示装置に表示させる表示制御手段とを具備し、前記検証装置は、前記表示制御手段で表示させた検証画像の表示結果に基づき前記画像表示装置の表示特性を検証する検証手段を具備することを特徴とする。
【００２６】
また、請求項１２記載の発明は、上記請求項１１記載の発明において、前記カラー画像処理装置は、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を用いて前記情報処理装置の出力画像を色補正する色補正手段とを更に具備することを特徴とする。
【００２７】
また、請求項１３記載の発明は、上記請求項１１記載の発明において、前記表示装置管理サーバは、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を前記カラー画像処理装置に送信する色補正係数情報送信手段とを更に具備し、前記カラー画像処理装置は、前記色補正係数情報送信手段で送信された色補正係数情報を用いて前記情報処理装置の出力画像を色補正する色補正手段を更に具備することを特徴とする。
【００２８】
また、請求項１４記載のカラー画像処理システムの発明は、情報処理装置と前記情報処理装置の出力画像を表示する画像表示装置との間に接続され、前記画像表示装置の表示特性に基づき前記出力画像の色補正を行うカラー画像処理装置と、前記情報処理装置とネットワークを介して接続され、前記情報処理装置に接続された前記画像表示装置を管理する表示装置管理サーバと、前記画像表示装置の表示特性を検証する検証装置とを具備し、前記表示装置管理サーバは、前記カラー画像処理装置に対して前記画像表示装置の表示特性を検証するための検証画像の表示を指示する検証画像表示指示手段を具備し、前記カラー画像処理装置は、前記画像表示装置の表示特性を検証するための検証画像を記憶する検証画像記憶手段と、前記検証画像表示指示手段による前記検証画像の表示の指示に基づき前記検証画像記憶手段で記憶された検証画像を前記画像表示装置に表示させる表示制御手段とを具備し、前記検証装置は、前記表示制御手段で表示させた検証画像の表示結果に基づき前記画像表示装置の表示特性を検証する検証手段を具備することを特徴とする。
【００２９】
また、請求項１５記載の発明は、上記請求項１４記載の発明において、前記カラー画像処理装置は、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を用いて前記情報処理装置の出力画像を色補正する色補正手段とを更に具備することを特徴とする。
【００３０】
また、請求項１６記載の発明は、上記請求項１４記載の発明において、前記表示装置管理サーバは、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を前記カラー画像処理装置に送信する色補正係数情報送信手段とを更に具備し、前記カラー画像処理装置は、前記色補正係数情報送信手段で送信された色補正係数情報を用いて前記情報処理装置の出力画像を色補正する色補正手段を更に具備することを特徴とする。
【００３１】
また、請求項１７記載のカラー画像処理装置の発明は、情報処理装置と前記情報処理装置の出力画像を表示する画像表示装置との間に接続され、前記画像表示装置の表示特性に基づき前記出力画像の色補正を行うカラー画像処理装置であって、前記画像表示装置の表示特性を検証するための検証画像を前記情報処理装置の出力画像として取得する検証画像取得手段と、前記検証画像取得手段で取得された検証画像を前記画像表示装置に表示させる表示制御手段と、  前記表示制御手段で表示させた検証画像の表示結果に基づき前記画像表示装置の表示特性を検証する検証手段と、前記検証手段で検証された前記画像表示装置の表示特性に基づき前記情報処理装置の出力画像を色補正するための色補正係数情報を作成する色補正係数作成手段と、前記色補正係数作成手段で作成された色補正係数情報を用いて前記情報処理装置の出力画像を色補正する色補正手段とを具備することを特徴とする。
【００３２】
また、請求項１８記載のカラー画像処理プログラムの発明は、コンピュータを情報処理装置の出力画像を表示する画像表示装置の表示特性を検証する検証画像を記憶する検証画像記憶手段、前記検証画像記憶手段で記憶された検証画像を前記情報処理装置の出力画像として取得する検証画像取得手段、前記検証画像取得手段で取得された検証画像を前記画像表示装置に表示させる表示制御手段、前記表示制御手段で表示させた検証画像の表示結果に基づき前記画像表示装置の表示特性を検証する検証手段、前記検証手段で検証された前記画像表示装置の表示特性に基づき前記情報処理装置の出力画像を色補正するための色補正係数情報を作成する色補正係数作成手段、前記色補正係数作成手段で作成された色補正係数情報を用いて前記情報処理装置の出力画像を色補正する色補正手段として機能させることを特徴とする。
【発明の効果】
【００３３】
請求項１記載のカラー画像処理システムの発明によれば、画像表示装置の表示特性を検証する検証画像を情報処理装置のシステム環境に対応させて表示させることができる。
【００３４】
請求項２、３記載の発明によれば、上記請求項１記載の発明において、情報処理装置のシステム環境に対応した画像表示装置の表示特性に基づいた色補正が行える。
【００３５】
請求項４記載の発明によれば、上記請求項２または３記載の発明において、情報処理装置のシステム環境に対応させた場合と対応させない場合とで検証画像を表示させることができる。
【００３６】
請求項５記載の発明によれば、上記請求項４記載の発明において、情報処理装置の色変換処理に係わる設定状態が検証できる。
【００３７】
請求項６記載の発明によれば、上記請求項４記載の発明において、画像表示装置に表示された検証画像の測色結果に基づいた色補正が行える。
【００３８】
請求項７記載の発明によれば、上記請求項４記載の発明において、画像表示装置の表示特性を簡易に検証して、その検証結果に基づいた色補正が行える。
【００３９】
請求項８記載の発明によれば、上記請求項７記載の発明において、画像表示装置の再現困難な色が容易に確認できる。
【００４０】
請求項９記載の発明によれば、上記請求項８記載の発明において、情報処理装置の出力画像を印刷する印刷装置で再現困難な色が容易に確認できる。
【００４１】
請求項１０記載の発明によれば、上記請求項２または３記載の発明において、表示特性の検証が必要な画像表示装置が容易に把握できる。
【００４２】
請求項１１記載のカラー画像処理システムの発明によれば、検証画像の更新および各画像表示装置の表示特性の検証が容易に行える。
【００４３】
請求項１２、１３記載の発明によれば、上記請求項１１記載の発明において、表示装置管理サーバから情報処理装置のシステム環境に対応した画像表示装置の表示特性に基づいた色補正が容易に行える。
【００４４】
請求項１４記載のカラー画像処理システムの発明によれば、表示装置管理サーバからカラー画像処理装置に対して指示して検証画像を情報処理装置のシステム環境に対応させて画像表示装置に表示させることができる。
【００４５】
請求項１５、１６記載の発明によれば、上記請求項１４記載の発明において、表示装置管理サーバから情報処理装置のシステム環境に対応した画像表示装置の表示特性に基づいた色補正が容易に行える。
【００４６】
請求項１７記載のカラー画像処理装置の発明によれば、情報処理装置のシステム環境に対応した画像表示装置の表示特性に基づいた色補正が行える。
【００４７】
請求項１８記載のカラー画像処理プログラムの発明によれば、コンピュータを情報処理装置のシステム環境に対応した画像表示装置の表示特性に基づいた色補正を行うように機能させることができる。
【図面の簡単な説明】
【００４８】
【図１】本発明の第１の実施の形態を示すカラー画像処理システム１の概略構成図である。
【図２】カラー画像処理システム１を構成する各装置の各主要部の機能構成図である。
【図３】表示装置管理テーブル１３０の構成図である。
【図４】カラー画像処理システム１における色補正の動作を示す流れ図である。
【図５】本発明の第２の実施の形態のカラー画像処理システム２を構成する各装置の各主要部の機能構成図である。
【図６】カラー画像処理システム２における色補正の動作を示す流れ図である。
【図７】本発明の第３の実施の形態のカラー画像処理システ３を構成する各装置の各主要部の機能構成図である。
【図８】カラー画像処理システム３における色補正の動作を示す流れ図である。
【図９】本発明の第４の実施の形態のカラー画像処理システム４を構成する各装置の各主要部の機能構成図である。
【図１０】カラー画像処理システム４における色補正の動作を示す流れ図である。
【図１１】本発明の第５の実施の形態のカラー画像処理システム５を構成する各装置の各主要部の機能構成図である。
【図１２】カラー画像処理システム５における色補正の動作を示す流れ図である。
【発明を実施するための形態】
【００４９】
以下、本発明の実施の形態について添付図面を参照して詳細に説明する。
【００５０】
図１は、本発明の第１の実施の形態のカラー画像処理システムの概略構成図である。
【００５１】
図１に示すように、カラー画像処理システム１は、表示装置管理サーバ１０と複数の情報処理装置２０−１、２０−２、２０−３、・・・（以下、総称して「情報処理装置２０」という）とがＬＡＮ（Local Area Network）などのネットワーク９０を介して接続され、各情報処理装置２０は、それぞれに接続されたカラー画像処理装置３０−１、３０−２、３０−３ａ、３０−３ｂ、・・・（以下、総称して「カラー画像処理装置３０」という）を介してそれぞれの画像表示装置４０−１、４０−２ａ、４０−２ｂ、４０−３ａ、４０−３ｂ、・・・（以下、総称して「画像表示装置４０」という）と接続されている。
【００５２】
また、情報処理装置２０−２と接続されたカラー画像処理装置３０−２は、複数の画像表示装置４０−２ａ、４０−２ｂと接続されてマルチモニタを構成し、情報処理装置２０−３と接続されたカラー画像処理装置３０−３ａ、３０−３ｂは、それぞれ画像表示装置４０−３ａ、４０−３ｂと接続されてマルチモニタを構成している。
【００５３】
表示装置管理サーバ１０および情報処理装置２０は、入力装置、出力装置、記憶装置、中央演算処理装置などを備えたコンピュータである。
【００５４】
この表示装置管理サーバ１０は、ネットワーク９０に接続された情報処理装置２０と接続されている全ての画像表示装置４０の表示画像の画質を管理するために、各画像表示装置４０に関する画像表示装置情報を記憶して管理する機能を備えるサーバである。
【００５５】
この画像表示装置情報は、画像表示装置４０の識別情報を示す画像表示装置ＩＤ、当該画像表示装置４０の表示特性に対応した色補正を実施するための色補正係数情報、当該画像表示装置４０のＩＰアドレスなどの各種情報であり、詳細（図３参照）は後述する。
【００５６】
情報処理装置２０は、インストールされているＯＳ（オペレーティング・システム）２１やアプリケーション・ソフト２３−１、２３−２、・・・、２３−ｎ（以下、「応用ソフト２３」という）に基づき種々の情報処理を行う装置である。
【００５７】
また、情報処理装置２０は、映像信号を入出力するビデオカード２２を搭載し、各画像表示装置の色表示の調整を行うための色変換テーブルが記述されたＩＣＣ（インターナショナル・カラー・コンソーシアム ）プロファイル２４が設定されている。
【００５８】
画像表示装置４０は、入力される映像信号に基づき自装置の画面に画像を表示する装置であり、その表示画像の画質は、画像表示装置４０の表示特性によって異なる場合がある。
【００５９】
カラー画像処理装置３０は、自装置の入力側に接続されている情報処理装置２０のビデオカード２２から出力された映像信号を、自装置の出力側に接続されている画像表示装置４０の表示特性に基づき色補正して、その表示画像の画質を向上させる装置である。
【００６０】
このカラー画像処理システム１を構成する表示装置管理サーバ１０、情報処理装置２０、カラー画像処理装置３０の本発明に係わる各主要部の機能的な構成について図２を参照して説明する。
【００６１】
なお、画像表示装置４０については、周知技術の種々の画像表示装置が適用されるので、画像表示装置４０の機能的な構成の説明は省略する。
【００６２】
図２に示すように、表示装置管理サーバ１０は、登録部１１、データ管理部（サーバ）１２、記憶部（サーバ）１３の各機能的な構成を備える。
【００６３】
登録部１１は、各画像表示装置４０の画質を管理するために必要な種々の情報を記憶部（サーバ）１３に記憶させる機能部である。
【００６４】
具体的には、例えば操作者に対して各画像表示装置４０の画像表示装置情報を表示装置管理サーバ１０の図示せぬ入力装置から入力させ、図３に示すような表示装置管理テーブル１３０にテーブル化して記憶部（サーバ）１３に記憶させる制御と、その制御を実現する各種装置から構成される。
【００６５】
図３は、この表示装置管理テーブル１３０の構成の一例を示す図である。この表示装置管理テーブル１３０は、画像表示装置ＩＤ、色補正係数情報、表示状態、色補正係数情報作成日、マルチモニタ、ＩＰアドレス、ビデオ補正の有無などの各項目欄から構成され、画像表示装置４０の各項目に対応する画像表示装置情報が記録される。
【００６６】
具体的には、画像表示装置ＩＤ項目欄には画像表示装置４０の識別情報（例えば「Ａ−１」）、色補正係数情報項目欄にはその画像表示装置４０に適用する色補正係数情報が記録されたファイルのファイル名（例えば「Ｆｉｌｅ  ｄａｔ１」）、表示状態項目欄にはその画像表示装置４０の表示状態の良悪（例えば「良」）、色補正係数情報作成日項目欄にはその色補正係数情報が記録されたファイルの作成日やその色補正係数情報の更新日（例えば「２０１１／０１／０１」）、マルチモニタ項目欄にはその画像表示装置４０のマルチモニタの状態（例えば「１」、この場合はマルチモニタでないことを表す）、ＩＰアドレス項目欄にはその画像表示装置４０のＩＰアドレス（例えば「１．１．１．１」）、ビデオ補正の有無項目欄にはその画像表示装置と接続された情報処理装置２０のビデオカード２２による色補正の実施有無（例えば「有」）などの画像表示装置情報がそれぞれ記録される。
【００６７】
また、前述の情報処理装置２０−２の１台のビデオカード２２からカラー画像処理装置３０−２を介して複数の画像表示装置４０−２ａ、４０−２ｂに接続されてマルチモニタを構成している場合（図１参照）は、画像表示装置４０−２ａ、４０−２ｂを同一の画像表示装置ＩＤ（例えば「Ｂ−３」）として記録し、マルチモニタ項目欄には画像表示装置４０−２ａ、４０−２ｂのうちの１台目を（１/２）、２台目を（２/２）として記録し、各画像表示装置毎に色補正係数情報、表示状態、色補正係数情報作成日、ＩＰアドレス、ビデオ補正の有無などの各項目に対応した画像表示装置情報を記録して管理する。
【００６８】
なお、情報処理装置２０−３の１台のビデオカード２２からマルチモニタ用の２つの信号を出力して、それぞれの信号をカラー画像処理装置３０−３ａと接続された画像表示装置４０−３ａ、カラー画像処理装置３０−３ｂと接続された画像表示装置４０−３ｂに出力するマルチモニタの構成の場合も同様に、画像表示装置４０−３ａ、４０−３ｂを同一の画像表示装置ＩＤとして記録し、各項目に対応した画像表示装置情報を記録して管理する。
【００６９】
データ管理部（サーバ）１２は、各情報処理装置およびカラー画像処理装置３０との間で送受信される各種情報や記憶部（サーバ）１３に記憶された各種情報を管理する機能部である。  
具体的には、例えば各カラー画像処理装置３０からの検証画像データの送信要求に応じて記憶部（サーバ）１３に記憶された検証画像データ１３１を読み取って要求元のカラー画像処理装置３０に送信したり、各カラー画像処理装置３０から送信される色補正係数情報などの画像表示装置情報を受信して表示装置管理テーブル１３０を更新する制御と、その制御を実現する各種装置から構成される。
【００７０】
なお、検証画像データ１３１は、Ｒ（赤）、Ｇ（緑）、Ｂ（青）のそれぞれの値を変更させた複数のデータを図形で描画した画像データを画像表示装置４０に表示させて画像表示装置４０全体の表示特性を検証したり、画像表示装置４０の色再現領域の表示特性を検証するなどの各検証項目に対応した画像データである。
【００７１】
記憶部（サーバ）１３は、各種情報やプログラムを記憶する機能部である。
【００７２】
具体的には、各種情報やプログラムを記憶する制御と、その制御を実現する記憶装置などの各種装置から構成され、例えば表示装置管理テーブル１３０、画像表示装置４０の画質を検証するための検証画像データ１３１、カラー画像処理装置３０に設定された色補正係数情報が記録された色補正係数情報ファイル１３２などが記憶される。
【００７３】
次に、情報処理装置２０は、映像信号変換部２５、色補正部（情報処理装置）２６、画像生成部２７、情報中継部２８の各機能的な構成を備える。
【００７４】
映像信号変換部２５は、画像データを映像信号に変換する機能部である。
【００７５】
具体的には、例えば色補正部（情報処理装置）２６から出力された画像データや検証画像データを映像信号に変換して出力する制御と、その制御を実現するビデオカード２２などの各種装置から構成される。また、このビデオカード２２は、独自に色補正を行う機能を備えるものも適用される。  
色補正部（情報処理装置）２６は、画像データの色補正を行う機能部である。
【００７６】
具体的には、例えば画像生成部２７で生成され出力される画像データや表示装置管理サーバ１０から送信されて情報中継部２８を介して出力される検証画像データを自装置に設定されたＩＣＣプロファイルに基づき色補正を行う制御と、その制御を実現する各種装置から構成される。
【００７７】
画像生成部２７は、画像データを生成する機能部である。
【００７８】
具体的には、例えば自装置にインストールされた応用ソフト２３で作成された画像に応じて画像データを生成する制御と、その制御を実現する各種装置から構成される。
【００７９】
情報中継部２８は、表示装置管理サーバ１０とカラー画像処理装置３０との間で送受信される各種情報を中継する機能部である。
【００８０】
具体的には、例えばカラー画像処理装置３０から表示装置管理サーバ１０のＩＰアドレス宛て（以下、「表示装置管理サーバ１０宛て」という）に送信される検証画像データ１３１の送信要求の指令、色補正係数情報などの情報を受信して表示装置管理サーバ１０に送信し、表示装置管理サーバ１０からカラー画像処理装置３０のＩＰアドレス宛て（以下、「カラー画像処理装置３０宛て」という）に送信される各種情報を受信してカラー画像処理装置３０に送信する制御と、その制御を実現する各種装置から構成される。
【００８１】
次に、カラー画像処理装置３０は、画像信号入力部３１、色補正部（補正装置）３２、画像信号出力部３３、表示制御部３４、データ管理部（補正装置）３５、測色データ入力部３６、色補正係数作成部３７、記憶部（補正装置）３８の各機能的な構成を備える。  
画像信号入力部３１は、情報処理装置２０から出力される映像信号を入力する機能部である。
【００８２】
具体的には、例えば情報処理装置２０の映像信号変換部２５から出力された映像信号を受信してその映像信号に対応する画像データに変換して色補正部（補正装置）３２に出力する制御と、その制御を実現する各種装置から構成される。
【００８３】
色補正部（補正装置）３２は、入力される画像データに対して自装置に設定された色補正係数情報に基づき色補正を行う機能部である。
【００８４】
具体的には、例えば画像信号入力部３１から出力される画像データに対して自装置の記憶部（補正装置）３８に記憶された色補正係数情報３３０に基づき色補正を行う制御と、その制御を実現する各種装置から構成される。
【００８５】
画像信号出力部３３は、色補正部（補正装置）３２から出力される画像データやデータ管理部（補正装置）３５および表示制御部３４を介して出力される検証画像データ１３１を画像表示装置４０に出力する機能部である。
【００８６】
具体的には、例えば色補正部（補正装置）３２で色補正された画像データやデータ管理部（補正装置）３５および表示制御部３４を介して出力される検証画像データ１３１を映像信号に変換して自装置と接続された画像表示装置４０に表示制御部３４の制御に基づき出力する制御と、その制御を実現する各種装置から構成される。
【００８７】
表示制御部３４は、画像表示装置４０への画像データや検証画像データ１３１の表示制御を行う機能部である。
【００８８】
具体的には、例えば画像信号出力部３３に対して画像データや検証画像データ１３１の画像表示装置４０への表示タイミングや表示位置などを指示する制御と、その制御を実現する各種装置から構成される。
【００８９】
データ管理部（補正装置）３５は、表示装置管理サーバ１０および情報処理装置２０との間で送受信される各種情報や記憶部（補正装置）３８に記憶された各種情報を管理する機能部である。
【００９０】
具体的には、例えば表示装置管理サーバ１０に対して検証画像データの送信要求の指令を送信して検証画像データ１３１を取得し、自装置の記憶部（補正装置）３８に記憶されている色補正係数情報３３０を表示装置管理サーバ１０に送信する制御と、その制御を実現する各種装置から構成される。
【００９１】
測色データ入力部３６は、画像表示装置４０に表示された検証画像の測色データを入力する機能部である。
【００９２】
具体的には、例えば画像表示装置４０に表示された検証画像から測色機器５０を用いて測色された各色（赤、緑、青）の検出信号を取得して出力する制御と、その制御を実現する各種装置から構成される。この測色機器５０には、ＲＧＢカラーセンサなどの機器が適用可能である。
【００９３】
色補正係数作成部３７は、測色データに基づき色補正係数情報を作成する機能部である。
【００９４】
具体的には、例えば測色データ入力部３６から出力される画像表示装置４０の測色データと予め記憶されている色補正係数情報とに基づきその画像表示装置４０の各色（赤、緑、青）の表示を適正に補正するための色補正係数情報を作成する制御と、その制御を実現する各種装置から構成される。
【００９５】
記憶部（補正装置）３８は、各種情報やプログラムを記憶する機能部である。
【００９６】
具体的には、各種情報やプログラムを記憶する制御と、その制御を実現する記憶装置などの各種装置から構成され、例えば色補正係数情報などが記憶される。
【００９７】
このような各装置で構成されたカラー画像処理システム１における色補正の動作手順について、図４の流れ図を参照して説明する。
【００９８】
図４に示すように、カラー画像処理システム１に接続された各画像表示装置４０の表示特性に応じて最適な色補正を実施するために、各画像表示装置４０の画像表示装置情報を登録する（ステップＳ１００１）。
【００９９】
この画像表示装置情報の登録は、表示装置管理サーバ１０とネットワーク９０および情報処理装置２０を介して接続された全ての画像表示装置４０について、画像表示装置４０の画像表示装置ＩＤ、当該画像表示装置４０に設定されている色補正係数情報、当該色補正係数情報の作成日、当該画像表示装置４０の表示状態、マルチモニタの状態、ＩＰアドレス、当該画像表示装置４０に検証画像データ１３１を情報処理装置の映像信号として出力して表示させた場合と直接表示させた場合との検証画像の差の有無を示すビデオ補正の有無などの画像表示装置情報を表示装置管理サーバ１０の登録部１１の入力装置からシステム管理者などに入力させ、その画像表示装置情報を表示装置管理テーブル１３０として表示装置管理サーバ１０の記憶部（サーバ）１３に記憶させる。
【０１００】
次に、画像表示装置４０の色補正の要否を確認する（ステップＳ１００２）。
【０１０１】
この色補正の要否の確認は、操作者が、使用している画像表示装置４０の表示画像の画質状態を目視し、画質の劣化など、色補正の必要を感じれば色補正が必要と判断し、感じなければ色補正が不要と判断する。
【０１０２】
ステップＳ１００２において、色補正が不要と判断された場合は（ステップＳ１００２で、否）、本発明に係わる色補正を実施せずに終了する。
【０１０３】
ステップＳ１００２において、色補正が必要と判断された場合は（ステップＳ１００２で、要）、本発明に係わる色補正が実施される。
【０１０４】
この色補正は、まず、色補正対象の画像表示装置４０の画質を検証するための検証画像データ１３１をその画像表示装置４０に表示させる（ステップＳ１００３）。
【０１０５】
この検証画像データの表示は、各装置および各機能部が次のように動作することで実現される。
【０１０６】
その画像表示装置４０と接続されたカラー画像処理装置３０に対してその画像表示装置４０の画質を検証する検証モードの実施が操作者によって指示されると、そのカラー画像処理装置３０のデータ管理部（補正装置）３５が表示装置管理サーバ１０宛てに検証画像データの送信を要求する送信要求指令を送信し、この送信要求指令が当該カラー画像処理装置３０と接続された情報処理装置２０の情報中継部２８およびネットワーク９０を介して表示装置管理サーバ１０で受信される。
【０１０７】
一方、表示装置管理サーバ１０は、この送信要求指令に対応してデータ管理部（サーバ）１２が記憶部（サーバ）１３に記憶されている検証画像データ１３１を読み取り、要求元のカラー画像処理装置３０宛てに送信する。
【０１０８】
データ管理部（サーバ）１２から送信された検証画像データ１３１は、当該情報処理装置２０の情報中継部２８を介して色補正部（情報処理装置）２６、映像信号変換部２５へと転送されてカラー画像処理装置３０へ送信され、当該カラー画像処理装置３０のデータ管理部（補正装置）３５でその検証画像データ１３１が受信されて表示制御部３４および画像信号出力部３３を介して当該画像表示装置４０に出力され表示される。
【０１０９】
なお、当該情報処理装置２０でＩＣＣプロファイルによる色補正と、ビデオカードによる色補正が実施されている場合、当該情報処理装置２０の映像信号変換部２５からは、それらの色補正が施された検証画像データが出力される。
【０１１０】
ステップＳ１００３において、検証画像データ１３１が画像表示装置４０に表示されると、その検証画像の測色を行う（ステップＳ１００４）。
【０１１１】
この検証画像の測色は、その画像表示装置４０に表示された検証画像の各色（赤、緑、青）を測色機器５０を用いて測色し、その検出信号を測色機器５０と接続された当該カラー画像処理装置３０の測色データ入力部３６に入力して測色データとして取得する。
【０１１２】
ステップＳ１００４において、検証画像が測色されると、その測色結果に基づき色補正係数情報を作成する（ステップＳ１００５）。
【０１１３】
この色補正係数情報の作成は、当該カラー画像処理装置３０の色補正係数作成部３７が測色データ入力部３６から出力された各色（赤、緑、青）の測色データと予め記憶部（補正装置）３８に記憶された色補正係数情報をもとにその画像表示装置４０の各色（赤、緑、青）の表示を適正に補正する新たな色補正係数情報を作成する。
【０１１４】
ステップＳ１００５において、色補正係数情報が作成されると、その色補正係数情報を当該カラー画像処理装置３０に設定する（ステップＳ１００６）。
【０１１５】
この色補正係数情報の当該カラー画像処理装置３０への設定は、その色補正係数作成部３７が、作成した色補正係数情報で記憶部（補正装置）３８に記憶された色補正係数情報を上書きして記憶させる。
【０１１６】
ステップＳ１００６において、色補正係数情報が当該カラー画像処理装置３０に設定されると、その設定された色補正係数情報を表示装置管理テーブル１３０に登録する（ステップＳ１００７）。
【０１１７】
この色補正係数情報の表示装置管理テーブル１３０への登録は、当該カラー画像処理装置３０のデータ管理部（補正装置）３５が記憶部（補正装置）３８から色補正係数情報を読み取り、その色補正係数情報と当該カラー画像処理装置３０に接続された画像表示装置４０の画像表示装置ＩＤの情報を表示装置管理サーバ１０宛てに送信する。
【０１１８】
その色補正係数情報および画像表示装置ＩＤの情報は、当該情報処理装置２０の情報中継部２８を介して表示装置管理サーバ１０で受信され、表示装置管理サーバ１０のデータ管理部（サーバ）１２がその色補正係数情報で表示装置管理テーブル１３０のその画像表示装置ＩＤに対応する色補正係数情報項目欄に記録されたファイル名の色補正係数情報ファイル１３２の色補正係数情報を上書きして書き換える。
【０１１９】
ステップＳ１００７において、色補正係数情報が表示装置管理サーバ１０に登録されると、設定した色補正係数情報に基づき色補正を実施する（ステップＳ１００８）。
【０１２０】
この色補正係数情報に基づく色補正の実施は、当該カラー画像処理装置３０に対して検証モードの解除が操作者によって指示されると、当該情報処理装置２０の映像信号変換部２５から出力される映像信号に対してそのカラー画像処理装置３０の色補正部（補正装置）３２が記憶部（補正装置）３８に記憶された色補正係数情報を用いて補正を行い、当該画像表示装置４０に出力して表示する。
【０１２１】
上記第１の実施の形態では、検証画像データ１３１を各カラー画像処理装置３０の取得要求により表示装置管理サーバ１０から情報処理装置２０の出力映像信号として取得する例を示したが、検証画像データ１３１を情報処理装置２０の情報中継部２８を介して取得する構成としてもよい。
【０１２２】
また、カラー画像処理装置３０は、検証画像データ１３１を表示装置管理サーバ１０から情報処理装置２０の情報中継部２８を介して取得する方法と、情報処理装置２０の映像信号変換部２５からの出力映像信号として取得する方法の両方の方法で取得し、カラー画像処理装置３０でその両方の検証画像データ１３１を当該画像表示装置４０に表示させて情報処理装置２０の色変換処理に係わるシステムの検証が行える構成としてもよい。
【０１２３】
この両方の検証画像データ１３１を当該画像表示装置４０に表示させることで、それらの表示された両方の検証画像に差があるか否かに応じて情報処理装置２０の色変換処理に係わる色補正の要否が判断可能になる。
【０１２４】
また、検証画像データ１３１の表示を表示装置管理サーバ１０からカラー画像処理装置３０に対して指示して、検証画像データ１３１を情報処理装置２０の出力映像信号として画像表示装置４０に表示させてもよく、検証画像データ１３１を情報処理装置２０の情報中継部２８を介して直接表示させてもよく、検証画像データ１３１を直接表示する方法および情報処理装置２０の出力映像信号として表示する方法の両方の方法で当該画像表示装置４０に表示させる構成としてもよい。
【０１２５】
また、上記第１の実施の形態では、画像表示装置４０に表示された検証画像の測色データを入力する機能部の測色データ入力部３６および色補正係数情報を作成する機能部の色補正係数作成部３７をカラー画像処理装置３０に設けた構成例を示したが、これらの機能部に対応する各部を表示装置管理サーバ１０に設ける構成としてもよい。
【０１２６】
この場合は、表示装置管理サーバ１０に測色データを入力する測色データ入力部と色補正係数作成部３７に対応する色補正係数作成部を構成し、カラー画像処理装置３０の測色データ入力部３６で取得された測色データをデータ管理部（補正装置）３５および情報処理装置２０の情報中継部２８を介して表示装置管理サーバ１０の測色データ入力部で受信させ、当該受信された測色データに基づき表示装置管理サーバ１０の色補正係数作成部が色補正係数情報を作成して情報処理装置２０の情報中継部２８を介してカラー画像処理装置３０に送信する構成とする。
【０１２７】
また、表示装置管理サーバ１０の測色データ入力部は、カラー画像処理装置３０の測色データ入力部３６で取得された測色データを情報処理装置２０の情報中継部２８を介して取得する構成に限定されるものではなく、測色機器５０で測色された測色データを表示装置管理サーバ１０の不図示の入力装置から入力させてもよく、記録媒体に記録された測色データを読込む構成としてもよい。
【０１２８】
また、上記第１の実施の形態では、検証画像データ１３１を表示装置管理サーバ１０で記憶する例を説明したが、その検証画像データ１３１を各情報処理装置で記憶する構成としてもよく、各カラー画像処理装置で記憶する構成としてもよい。  
この検証画像データ１３１を各カラー画像処理装置で記憶する構成にした本発明の第２の実施の形態について図５を参照して説明する。
【０１２９】
図５は、カラー画像処理システム２を構成する表示装置管理サーバ１００、情報処理装置２０、カラー画像処理装置３００の本発明に係わる各主要部の機能的な構成図である。
【０１３０】
なお、このカラー画像処理システム２の概略構成は、前述のカラー画像処理システム１（図１参照）と同様であるので、ここでは説明を省略する。
【０１３１】
このカラー画像処理システム２において、カラー画像処理システム１と同様な構成および動作を行う装置、各機能部についてはカラー画像処理システム１と同一の符号が付してある。
【０１３２】
図５に示すように、カラー画像処理システム２の表示装置管理サーバ１００は、検証画像データ１３１を記憶部（サーバ）１３で記憶しないので、データ管理部（サーバ）１２０が検証画像データ１３１をカラー画像処理装置３００に送信しない他は、カラー画像処理システム１の表示装置管理サーバ１０と同様に構成され、情報処理装置２０はカラー画像処理システム１と同様に構成されている。
【０１３３】
カラー画像処理装置３００は、検証画像データ１３１を記憶部（補正装置）３８で記憶し、色補正部（補正装置）３２０が画像信号入力部３１から出力される画像データに対して自装置に設定された色補正係数情報に基づき色補正を行い、データ管理部（補正装置）３５０が検証画像データ１３１を記憶部（補正装置）３８から読み取って表示制御部３４０に出力するように構成されている。
【０１３４】
また、表示制御部３４０がその画像データと検証画像データ１３１を切替えて画像表示装置４０に出力するように画像信号出力部３３を制御するように構成した他は、カラー画像処理システム１のカラー画像処理装置３０と同様に構成されている。
【０１３５】
このように構成されたカラー画像処理システム２における色補正の動作手順について、図６の流れ図を参照して説明する。
【０１３６】
図６に示すように、先ず、カラー画像処理システム２に接続された各画像表示装置４０の画像表示装置情報を登録し（ステップＳ２００１）、画像表示装置４０の色補正の要否を確認し（ステップＳ２００２）、色補正が不要と判断された場合は（ステップＳ２００２で、否）、本発明に係わる色補正を実施せずに終了させ、色補正が必要と判断された場合に（ステップＳ２００２で、要）、本発明に係わる色補正が実施される。
【０１３７】
このステップＳ２００１乃至Ｓ２００２における各装置および各機能部の動作については、カラー画像処理システム１と同様であるので説明は省略する。
【０１３８】
この色補正は、まず、色補正対象の画像表示装置４０の画質を検証するための検証画像データ１３１をその画像表示装置４０に表示させる（ステップＳ２００３）。
【０１３９】
この検証画像データの表示は、各装置および各機能部が次のように動作することで実現される。
【０１４０】
その画像表示装置４０と接続されたカラー画像処理装置３００に対してその画像表示装置４０の画質を検証する検証モードの実施が操作者によって指示されると、そのカラー画像処理装置３００のデータ管理部（補正装置）３５０が記憶部（補正装置）３８から検証画像データ１３１を読み取って表示制御部３４０に出力し、画像信号出力部３３を介して当該画像表示装置４０に出力して表示する。
【０１４１】
ステップＳ２００３において、検証画像データ１３１が画像表示装置４０に表示されると、その検証画像を測色し（ステップＳ２００４）、その測色結果に基づき色補正係数情報を作成して（ステップＳ２００５）、その作成した色補正係数情報を当該カラー画像処理装置３０に設定する（ステップＳ２００６）。
【０１４２】
そして、そのカラー画像処理装置３００に設定された色補正係数情報を表示装置管理サーバ１００に記憶された表示装置管理テーブル１３０へ登録（ステップＳ２００７）後、当該色補正係数情報に基づき当該情報処理装置２０の映像信号変換部２５から出力される画像データに対する色補正を実施する（ステップＳ２００８）。
【０１４３】
上記検証画像の測色（ステップＳ２００４）から色補正係数情報に基づく色補正の実施（ステップＳ２００８）までの各装置および各機能部の動作は、カラー画像処理システム１の動作（ステップＳ１００４乃至ステップＳ１００８）と同様であるので、説明は省略する。
【０１４４】
上記第２の実施の形態では、検証画像データ１３１を各カラー画像処理装置３００で記憶する例を説明したが、その検証画像データ１３１を表示装置管理サーバと各カラー画像処理装置の両方で記憶する構成としてもよい。
【０１４５】
この検証画像データ１３１を表示装置管理サーバと各カラー画像処理装置の両方で記憶する構成にした本発明の第３の実施の形態について図７を参照して説明する。
【０１４６】
図７は、カラー画像処理システム３を構成する表示装置管理サーバ１０、情報処理装置２０、カラー画像処理装置３１０の本発明に係わる各主要部の機能的な構成図である。
【０１４７】
なお、このカラー画像処理システム３の概略構成は、前述のカラー画像処理システム１（図１参照）と同様である。
【０１４８】
このカラー画像処理システム３において、カラー画像処理システム１およびカラー画像処理システム２と同様な構成および動作を行う装置、各機能部についてはカラー画像処理システム１およびカラー画像処理システム２と同一の符号が付してある。
【０１４９】
図７に示すように、カラー画像処理システム３の表示装置管理サーバ１０は、カラー画像処理システム１の場合と同様に構成されており、検証画像データ１３１を記憶部（サーバ）１３で記憶し、その検証画像データ１３１をデータ管理部（サーバ）１２がカラー画像処理装置３１０からの送信要求に応じて送信する。
【０１５０】
また、情報処理装置２０はカラー画像処理システム１と同様に構成されている。
【０１５１】
また、カラー画像処理装置３１０は、カラー画像処理システム２の場合と同様に、検証画像データ１３１を記憶部（補正装置）３８で記憶する。
【０１５２】
また、色補正部（補正装置）３２１は、画像信号入力部３１から出力される画像データに対して自装置に設定された色補正係数情報に基づき色補正を行う。
【０１５３】
また、データ管理部（補正装置）３５１は、表示装置管理サーバ１０に対して検証画像データの送信を要求して情報処理装置２０の出力映像信号として取得し、また自装置の記憶部（補正装置）３８に記憶された検証画像データを読み取って両方の検証画像データ１３１を表示制御部３４１に出力するように構成されている他は、カラー画像処理システム２のカラー画像処理装置３００と同様に構成されている。
【０１５４】
このように構成されたカラー画像処理システム３における色補正の動作手順について、図８の流れ図を参照して説明する。
【０１５５】
図８に示すように、先ず、カラー画像処理システム３に接続された各画像表示装置４０の画像表示装置情報を登録し（ステップＳ３００１）、画像表示装置４０の色補正の要否を確認し（ステップＳ３００２）、色補正が不要と判断された場合は（ステップＳ３００２で、否）、本発明に係わる色補正を実施せずに終了させ、色補正が必要と判断された場合に（ステップＳ３００２で、要）、本発明に係わる色補正が実施される。
【０１５６】
このステップＳ３００１乃至Ｓ３００２における各装置および各機能部の動作については、カラー画像処理システム１と同様であるので説明は省略する。
【０１５７】
この色補正は、まず、色補正対象の画像表示装置４０の画質を検証するための検証画像データ１３１をその画像表示装置４０に表示させる（ステップＳ３００３）。
【０１５８】
この検証画像データの表示は、各装置および各機能部が次のように動作することで実現される。
【０１５９】
その画像表示装置４０と接続されたカラー画像処理装置３１０に対してその画像表示装置４０の画質を検証する検証モードの実施が操作者によって指示されると、そのカラー画像処理装置３１０のデータ管理部（補正装置）３５１が表示装置管理サーバ１０に検証画像データ１３１の送信を要求して送信させるとともに、自装置の記憶部（補正装置）３８に記憶されている検証画像データ１３１を読み取って取得する。
【０１６０】
一方、表示装置管理サーバ１０は、カラー画像処理装置３１０からの検証画像データ１３１の送信要求に応じて自装置の記憶部（サーバ）１３に記憶された検証画像データ１３１を読み取って要求元のカラー画像処理装置３１０に送信し、その検証画像データ１３１は、当該情報処理装置２０の情報中継部２８、色補正部（情報処理装置）２６、映像信号変換部２５を介してカラー画像処理装置３１０に送信される。
【０１６１】
そして、そのカラー画像処理装置３１０のデータ管理部（補正装置）３５１がその検証画像データ１３１を受信して取得し、この検証画像データ１３１および自装置の記憶部（補正装置）３８から読み取った検証画像データ１３１の両方を表示制御部３４１に出力して画像信号出力部３３を介して当該画像表示装置４０に出力して表示する。
【０１６２】
この両方の検証画像データ１３１を当該画像表示装置４０に表示させることで、情報処理装置２０の色変換処理に係わるシステムの検証を行うことができる。
【０１６３】
すなわち、その表示された両方の検証画像に差がある場合は、情報処理装置２０で既存の色補正が実施されていると判断できるので、情報処理装置２０の色補正をＯＦＦ（機能させない）にして検証画像データ１３１をカラー画像処理装置３０から表示させるか、若しくは情報処理装置２０の色補正をＯＮ（機能させる）のままにして検証画像データ１３１を情報処理装置２０の出力映像信号として表示させる処理を行う。
【０１６４】
ステップＳ３００３において、検証画像データ１３１が画像表示装置４０に表示されると、両方の検証画像に差がある場合は、情報処理装置２０の映像信号として出力して表示させた検証画像を測色し、両方の検証画像に差がない場合は、両方の検証画像のうちの何れかの検証画像を測色し（ステップＳ３００４）、その測色結果に基づき色補正係数情報を作成して（ステップＳ３００５）、その作成した色補正係数情報を当該カラー画像処理装置３０に設定する（ステップＳ３００６）。
【０１６５】
そして、そのカラー画像処理装置３１０に設定された色補正係数情報を表示装置管理サーバ１００に記憶された表示装置管理テーブル１３０へ登録（ステップＳ３００７）後、当該色補正係数情報に基づき当該情報処理装置２０の映像信号変換部２５から出力される画像データに対する色補正を実施する（ステップＳ３００８）。
【０１６６】
上記検証画像の測色（ステップＳ３００４）から色補正係数情報に基づく色補正の実施（ステップＳ３００８）までの各装置および各機能部の動作は、カラー画像処理システム１の動作（ステップＳ１００４乃至ステップＳ１００８）と同様であるので、説明は省略する。
【０１６７】
上記第３の実施の形態では、検証画像データ１３１の表示をカラー画像処理装置３１０の要求に応じて表示する例を示したが、表示装置管理サーバ１０からカラー画像処理装置３１０に対して検証画像データ１３１の表示を指示して、表示装置管理サーバ１０に記憶された検証画像データ１３１およびカラー画像処理装置３１０に記憶された検証画像データ１３１を画像表示装置４０に表示させる構成としてもよい。
【０１６８】
次に、上記第１乃至３の実施の形態において、情報処理装置２０の画像信号変換部２５のビデオカード２２や色補正部（情報処理装置）２６のＩＣＣプロファイルによる色補正の適用を検証して色補正を行う本発明の第４の実施の形態について図９を参照して説明する。
【０１６９】
図９は、カラー画像処理システム４を構成する表示装置管理サーバ１０、情報処理装置２００、カラー画像処理装置３１０の本発明に係わる各主要部の機能的な構成図である。
【０１７０】
このカラー画像処理システム４は、上記第１乃至３の実施の形態のカラー画像処理システム１乃至３の情報処理装置２０に自装置の画像信号変換部２５のビデオカード２２や色補正部（情報処理装置）２６のＩＣＣプロファイルによる色補正の適用の確認や設定を行う環境確認設定部の機能部を設けた情報処理装置２００とした他は、カラー画像処理システム１乃至３と同様に構成されているので、このカラー画像処理システム４の概略構成および機能的な構成の説明は省略する。
【０１７１】
このカラー画像処理システム４における色補正の動作手順について、図１０の流れ図を参照して説明する。
【０１７２】
図１０に示すように、先ず、カラー画像処理システム４に接続された各画像表示装置４０の画像表示装置情報を登録する（ステップＳ４００１）。
【０１７３】
この画像表示装置情報の登録における各装置および各機能部の動作については、カラー画像処理システム１と同様であるので説明は省略する。
【０１７４】
次に、情報処理装置２００のシステム環境を必要に応じて確認する（ステップＳ４００２）。
【０１７５】
このシステム環境の確認は、その情報処理装置２００のシステム環境や画像信号変換部２５のビデオカード２２が独自に色補正を行う機能を備えるか否かの検証（Ｓ４００２で要、ステップＳ４００３）、ＩＣＣプロファイルの設定の有無や設定状態の検証を環境確認設定部で操作者に確認させる（ステップＳ４００４）。
【０１７６】
次に、その情報処理装置２００と接続された画像表示装置４０の色補正の要否を確認し（ステップＳ４００５）、色補正が不要と判断された場合は（ステップＳ４００５で、否）、本発明に係わる色補正を実施せずに終了させ、色補正が必要と判断された場合に（ステップＳ４００５で、要）、本発明に係わる色補正が実施される。
【０１７７】
この色補正の要否の確認は、カラー画像処理システム１の動作と同様に操作者が画像表示装置４０の表示画像を目視確認して行う。
【０１７８】
色補正が必要と判断された場合は、検証画像の表示方法を決定する（ステップＳ４００６）。
【０１７９】
この検証画像の表示方法の決定は、ステップＳ４００３およびステップＳ４００４における当該情報処理装置２００のシステム環境やビデオカード２２およびＩＣＣプロファイルの検証結果に基づき検証画像の表示方法を操作者が決定する。
【０１８０】
例えば情報処理装置２００でＩＣＣプロファイルとビデオカード２２の何れも色補正を実施しない、どちらか一方が色補正を実施する、両方が色補正を実施する、検証画像データを表示装置管理サーバ１０から送信させる、カラー画像処理装置３１０から送信させる、表示装置管理サーバ１０とカラー画像処理装置３１０の両方から送信させるなど、検証画像の表示方法を決定する。
【０１８１】
ステップＳ４００６において検証画像の表示方法が決定されると、その表示方法に対応して当該情報処理装置２００のシステム環境を環境確認設定部で操作者に設定させる（ステップＳ４００７）。
【０１８２】
ステップＳ４００７において当該情報処理装置２００のシステム環境が設定されると、当該画像表示装置４０の画質を検証するための検証画像データ１３１をその画像表示装置４０に表示させる（ステップＳ４００８）。
【０１８３】
この検証画像データの表示は、ステップＳ４００７のシステム環境の設定に対応して検証画像データを当該画像表示装置４０に表示させる。
【０１８４】
例えば検証画像データを表示装置管理サーバ１０から送信させて表示する、カラー画像処理装置３１０から送信させて表示する、表示装置管理サーバ１０とカラー画像処理装置３１０の両方から送信させて表示するなどの組み合わせに加えて、更にＩＣＣプロファイルとビデオカード２２の何れも色補正を実施しないで表示する、どちらか一方の色補正を実施して表示する、両方で色補正を実施して表示するなどの各組み合わせに対応して検証画像データを画像表示装置４０に表示する。
【０１８５】
Ｓ４００８において、画像表示装置４０に検証画像が表示されると、その検証画像を測色し（ステップＳ４００９）、その測色結果に基づき色補正係数情報を作成して（ステップＳ４０１０）、その作成した色補正係数情報を当該カラー画像処理装置３１０に設定する（ステップＳ４０１１）。
【０１８６】
そして、そのカラー画像処理装置３１０に設定された色補正係数情報を表示装置管理サーバ１０の表示装置管理テーブル１３０へ登録（ステップＳ４０１２）後、当該色補正係数情報に基づき当該情報処理装置２００の映像信号変換部２５から出力される画像データに対する色補正を実施する（ステップＳ４０１３）。
【０１８７】
上記検証画像の測色（ステップＳ４００９）から色補正係数情報に基づく色補正の実施（ステップＳ４０１３）までの各装置および各機能部の動作は、カラー画像処理システム１の動作と同様であるので、説明は省略する。
【０１８８】
上記第１乃至４の実施の形態では、画像表示装置４０に表示された検証画像の測色結果に基づき色補正係数情報を作成する例を示したが、画像表示装置４０の表示特性を検証する検証装置、例えば画質を検証する簡易の診断装置で診断して検証し、その診断結果に基づき色補正係数情報を作成するように構成してもよい。
【０１８９】
この画像表示装置４０の画質を簡易診断装置で診断して検証し、その診断結果に基づき色補正係数情報を作成するように構成した本発明の第５の実施の形態について図１１を参照して説明する。
【０１９０】
図１１は、カラー画像処理システム５を構成する表示装置管理サーバ１０、情報処理装置２０、カラー画像処理装置３１１の本発明に係わる各主要部の機能的な構成図である。
【０１９１】
このカラー画像処理システム５は、上記第１乃至４の実施の形態のカラー画像処理システム１乃至４の検証画像データを画質診断用の検証画像データとして表示装置管理サーバ１０およびカラー画像処理装置３１１に記憶させ、カラー画像処理装置３１１の測色データ入力部を簡易診断装置５１から出力される診断結果データを取得する制御を行う診断データ入力部３６０の機能部の構成とし、色補正係数作成部３７０を診断データ入力部３６０から出力される診断結果データと予め記憶されている色補正係数情報とに基づき画像表示装置４０の各表示特性を適正に補正するための色補正係数情報を作成するように構成した他は、カラー画像処理システム１乃至４と同様に構成されているので、このカラー画像処理システム５の概略構成および機能的な構成の説明は省略する。  
なお、このカラー画像処理システム５は、上記第３の実施の形態のカラー画像処理システム３に適用した場合を例を示したものであり、カラー画像処理システム３と同様な構成および動作を行う装置、各機能部についてはカラー画像処理システム３と同一の符号が付してある。
【０１９２】
このように構成されたカラー画像処理システム５における色補正の動作手順について、図１２の流れ図を参照して説明する。
【０１９３】
図１２に示すように、先ず、カラー画像処理システム５に接続された各画像表示装置４０の画像表示装置情報を登録し（ステップＳ５００１）、画像表示装置４０の色補正の要否を確認し（ステップＳ５００２）、色補正が不要と判断された場合は（ステップＳ５００２で、否）、本発明に係わる色補正を実施せずに終了させ、色補正が必要と判断された場合に（ステップＳ５００２で、要）、本発明に係わる色補正が実施される。
【０１９４】
このステップＳ５００１乃至Ｓ５００２における各装置および各機能部の動作は、カラー画像処理システム１と同様であるので説明は省略する。
【０１９５】
この色補正は、まず、画像表示装置４０の表示特性の簡易診断を行う（ステップＳ５００３）。
【０１９６】
この簡易診断は、各装置および各機能部が次のように動作することで実現される。
【０１９７】
色補正対象の画像表示装置４０と接続されたカラー画像処理装置３１１に対してその画像表示装置４０の表示特性を診断する診断モードの実施が操作者によって指示されると、その診断内容（設問）に対応する検証画像データ１３１（２以上の図形）を画像表示装置４０に表示させる。
【０１９８】
この検証画像データ１３１の表示は、そのカラー画像処理装置３１１のデータ管理部（補正装置）３５１が診断データ入力部３６０に接続された簡易診断装置５１と同期して表示装置管理サーバ１０に検証画像データ１３１の送信を要求して送信させるとともに、自装置の記憶部（補正装置）３８に記憶されている検証画像データ１３１を読み取って取得する。
【０１９９】
また、表示装置管理サーバ１０から当該情報処理装置２０の情報中継部２８、色補正部（情報処理装置）２６、映像信号変換部２５を介してカラー画像処理装置３１１のデータ管理部（補正装置）３５１で受信されて取得される。
【０２００】
データ管理部（補正装置）３５１によって表示装置管理サーバ１０から取得された検証画像データ１３１および自装置の記憶部（補正装置）３８から読み取って取得された検証画像データ１３１は、表示制御部３４０に出力され画像信号出力部３３を介して当該画像表示装置４０に出力されて表示される。
【０２０１】
その表示された検証画像がどのように見えるかを設問として操作者に簡易診断装置５１の入力装置から回答させ、その全ての設問に対する回答から、その画像表示装置４０の色再現域の広さ、各色（赤、緑、青）のγ（階調）特性、色のバランスの良否などの表示特性の評価結果がその簡易診断装置５１から出力される。
【０２０２】
ステップＳ５００３において、画像表示装置４０の表示特性が診断されると、その診断結果に基づき色補正係数情報を作成する（ステップＳ５００４）。
【０２０３】
この色補正係数情報の作成は、その色再現域の広さ、各色（赤、緑、青）のγ（階調）特性、色のバランスの良否などの評価結果と予め記憶部（補正装置）３８に記憶された色補正係数情報をもとにその画像表示装置４０の表示を適正に補正する各評価結果に対応した新たな色補正係数情報を作成する。
【０２０４】
ステップＳ５００４において、色補正係数情報が作成されると、その作成した色補正係数情報を当該カラー画像処理装置３１１に設定する（ステップＳ５００５）。
【０２０５】
そして、そのカラー画像処理装置３１１に設定された色補正係数情報を表示装置管理サーバ１０の表示装置管理テーブル１３０へ登録（ステップＳ５００６）後、当該色補正係数情報に基づき当該情報処理装置２０の映像信号変換部２５から出力される画像データに対する色補正を実施する（ステップＳ５００７）。
【０２０６】
上記色補正係数情報の当該カラー画像処理装置３１１への設定（ステップＳ５００５）から色補正係数情報に基づく色補正の実施（ステップＳ５００７）までの各装置および各機能部の動作は、カラー画像処理システム１の動作と同様であるので、説明は省略する。
【０２０７】
上記第５の実施の形態において、画像表示装置４０に表示された検証画像の簡易の診断結果に基づき色補正係数情報を作成する例を示したが、その色補正係数情報を作成する際に、更に画像表示装置４０で再現困難な色の映像信号に対してその警告を表す色を表示するように色補正係数情報を作成する構成としてもよい。
【０２０８】
この場合は、カラー画像処理装置３１１の色補正係数作成部３７０を更に、画像表示装置４０の色再現域の広さの診断結果から標準色再現域と比較して、画像表示装置４０の色再現域が標準色再現域より狭い場合に、その画像表示装置４０で再現困難な色の映像信号に対してその警告を表す特定の色に変換するように色補正係数情報を作成する構成とすることで実現できる。
【０２０９】
また、当該情報処理装置２０と接続する印刷装置が想定される場合に、その印刷装置の色域外の画像データに対してその警告を表す色に表示するように色補正係数情報を作成する構成としてもよい。
【０２１０】
この場合は、予めその印刷装置の特性情報からその印刷装置の色域外の情報を取得しておき、カラー画像処理装置３１１の色補正係数作成部３７０を更に、画像表示装置４０の色再現域の広さの診断結果から印刷装置の色域外の情報と比較して、画像表示装置４０の色再現域のうちのその印刷装置で再現困難な色域の映像信号に対してその警告を表す特定の色に変換するように色補正係数情報を作成する構成とすることで実現できる。
【０２１１】
また、各画像表示装置４０の画像表示装置情報から色補正の必要な画像表示装置を特定し、その旨を表示装置管理サーバ１０から当該画像表示装置に対して通知するように構成してもよい。
【０２１２】
この場合は、上記カラー画像処理システム１乃至５の表示装置管理サーバのデータ管理部（サーバ）を更に、表示装置管理テーブル１３０を参照して色補正係数情報作成日が一定期間を超過した画像表示装置ＩＤを特定し、その画像表示装置ＩＤの画像表示装置４０と接続されたカラー画像処理装置に対して色補正係数情報の更新を指示する指令信号を送信するように構成する。
【０２１３】
また、カラー画像処理装置のデータ管理部（補正装置）を更に、その指令信号を受信して当該カラー画像処理装置の表示制御部に転送するように構成し、表示制御部を更に、その指令信号に基づき色補正係数情報の更新が必要である旨のメッセージを色補正部（補正装置）から出力される映像信号に合成させて画像表示装置に出力して表示させる制御を行うように構成する。
【０２１４】
また、そのメッセージデータは、記憶部（補正装置）３３に記憶させて表示制御部が記憶部（補正装置）３３から読み取ってもよく、また表示制御部内に記憶させるように構成することで実現できる。
【０２１５】
また、管理する画像表示装置４０が複数台ない場合には、上記第１乃至５の実施の形態における表示装置管理サーバの機能は各情報処理装置にあってもよい。
【０２１６】
また、上述の本発明の各実施の形態で説明した各装置の各機能部の機能を全部あるいは部分的に、コンピュータにより実行可能なプログラムによって構成してもよい。
【０２１７】
この場合、上述の本発明の各実施の形態における表示装置管理サーバ、情報処理装置、カラー画像処理装置のそれぞれの各機能部の全部あるいは部分的な機能のプログラムをそれぞれの装置の記憶装置に格納し、各プログラムをそれぞれの装置の中央処理演算装置がそれぞれのプログラムを読み出し実行することによって、上述の本発明の各実施の形態で説明した機能が全部あるいは部分的に実現される。
【符号の説明】
【０２１８】
１〜５：カラー画像処理システム  １０：表示装置管理サーバ、１１：登録部、１２：データ管理部（サーバ）、１３：記憶部（サーバ）、２０−１〜ｎ：情報処理装置、２１：ＯＳ（オペレーティング・システム）、２２：ビデオカード、２３−１〜ｎ：アプリケーション・ソフト（応用ソフト）、２４：ＩＣＣ（インターナショナル・カラー・コンソーシアム ）プロファイル、２５：映像信号変換部、２６：色補正部（情報処理装置）、２７：画像生成部、２８：情報中継部、３０−１〜ｎ：カラー画像処理装置、３１：画像信号入力部、３２：色補正部（補正装置）、３３：画像信号出力部、３４：表示制御部、３５：データ管理部（補正装置）、３６：測色データ入力部、３７：色補正係数作成部、３８：記憶部（補正装置）、４０−１〜ｎ：画像表示装置、５０：測色機器、５１：簡易診断装置、９０：ネットワーク、１３０：表示装置管理テーブル、１３１：検証画像データ、１３２：色補正係数情報ファイル、３３０：色補正係数情報。
【図１】
0005464375.tif 000002
【図２】
0005464375.tif 000003
【図３】
0005464375.tif 000004
【図４】
0005464375.tif 000005
【図５】
0005464375.tif 000006
【図６】
0005464375.tif 000007
【図７】
0005464375.tif 000008
【図８】
0005464375.tif 000009
【図９】
0005464375.tif 000010
【図１０】
0005464375.tif 000011
【図１１】
0005464375.tif 000012
【図１２】
0005464375.tif 000013